(57)【要約】【課題】スタンド式薄型テレビ等の機器を効率よく分解梱包することにより、小さい梱包スペースにコンパクトに収納する方法を提供する。【解決手段】機器を梱包するための方法であって、前記機器を２以上の部材に分解し、該各部材を梱包することを含み、前記機器は、分解された前記機器を組み立てるための固着機構を備えている方法。【選択図】　図７
2004131100.tif 000002
【特許請求の範囲】
【請求項１】
平面状の表示部を有する本体部と、該本体部が転倒しないように支持するためのスタンド部とを有するスタンド式の平面表示装置を梱包するための方法であって、
前記平面表示装置の本体部及びスタンド部のそれぞれに互いに係合する固着機構を備え、
前記本体部及び前記スタンド部を分解した状態で梱包する方法。
【請求項２】
前記スタンド部を前記本体部の後面と対向した状態で梱包することを特徴とする請求項１に記載の方法。
【請求項３】
前記スタンド部は、前記本体部と連結し該本体部が接地しないように支持するスタンド支柱と、該スタンド支柱に装着され前記本体部が転倒しないよう支持するスタンドベースとを有しており、前記スタンド支柱と前記スタンドベースとを分解した状態で梱包することを特徴とする請求項１に記載の方法。
【請求項４】
前記スタンドベースを前記本体部の後面と対向した状態で梱包することを特徴とする請求項３に記載の梱包方法。
【請求項５】
前記固着機構は、一の部材と他の部材とを固着するための機構であって、
前記一の部材は凸部を有し、
前記他の部材は前記凸部に係合する凹部を有し、
前記凸部と前記凹部とを係合させて、前記凸部を前記凹部に対して押圧することにより、前記一の部材と前記他の部材とを固着するように構成された機構であることを特徴とする請求項１に記載の方法。
【請求項６】
前記固着機構は、一の部材と他の部材とを固着するための機構であって、
前記一の部材は、球状部材と弾性部材と固定部材とを含む嵌合受け部材を有し、前記他の部材は、前記球状部材に係合する凹部又は嵌合孔を含む嵌合部材を有し、
前記嵌合部材を前記嵌合受け部材に嵌合すると、前記球状部材と前記凹部又は嵌合孔とが係合するように構成された機構であることを特徴とする請求項１に記載の方法。
【請求項７】
平面状の表示部を有する本体部と、該本体部が転倒しないように支持するためのスタンド部とから構成されるスタンド式薄型テレビの梱包装置であって、
前記スタンド部は、球状部材と弾性部材と固定部材とを含む嵌合受け部材を有し、
前記本体部は、前記球状部材に係合する凹部又は嵌合孔を含む嵌合部材を有し、前記嵌合部材を前記嵌合受け部材に嵌合すると、前記球状部材と前記凹部又は嵌合孔とが係合して、前記本体部と前記スタンド部とを固着することが可能であり、
前記本体部及び前記スタンド部を分解して梱包すること、及び開梱後に前記本体部及び前記スタンド部を組み立てることが可能であることを特徴とする梱包装置。
【請求項８】
前記本体部の平面状の表示部は、液晶ディスプレイ又はプラズマディスプレイからなる表示画面を有することを特徴とする請求項７に記載の梱包装置。
【発明の詳細な説明】
【０００１】
【発明の属する技術分野】
本発明は、平面表示装置の梱包方法及び梱包装置に関し、特に、スタンド式の液晶テレビ又はプラズマテレビを運搬及び販売用に梱包する方法及びその梱包装置に関するものである。
【０００２】
【従来の技術】
一般的に、平面状の表示部を有する本体部と、該本体部が転倒しないように支えるためのスタンド部を有するスタンド式の薄型液晶テレビ又はプラズマテレビなどの平面表示装置では、本体及びスタンド部分の各部材を個別に製造した後、これらの部材を嵌め合わせてネジ止めなどにより固定して完成品としている。
以下に、図８〜図１４を参照しながら、従来のスタンド式薄型テレビを組み立て及び梱包する方法の一例を説明する。
【０００３】
図８、図９及び図１０は、それぞれ従来のスタンド式薄型テレビの正面図、側面図及び上面図である。これらの図に示すスタンド式薄型テレビは組み立て後のものであり、表示画面等を有する本体部１０１、スタンド支柱１０２、スタンドベース１０３及び連結体１０４から構成されている。スタンドベース１０３は、本体部１０１が前方あるいは後方に倒れることを防止するため、本体部１０１の厚みよりも前後方向に長く形成されている。
【０００４】
次に、図１１〜１３を参照しながら、このスタンド式薄型テレビの製造時における組み立て方法を説明する。図１１は、スタンド式薄型テレビの組み立ての一工程を示す側面図である。まず、本体部１０１と連結体１０４とはビスなどで取り付けられて一体化される。また、スタンド支柱１０２とスタンドベース１０３もビスなど取り付けられて一体化される。次に、図１１に示すように、連結体１０４とスタンド支柱１０２とが嵌合されて締め付け固定される。
【０００５】
上記の連結体１０４とスタンド支柱１０２との嵌合について、図１２及び図１３を参照しながらさらに詳しく説明する。図１２はこれらの部材を嵌合する前の各部材の側面図であり、図１３は嵌合した後の側面図であり、両図とも特に嵌合部分を一部切り欠いて示している。図１２及び図１３に示すように、連結体１０４は嵌合部分において嵌合金具１０５を有し、スタンド支柱１０２は嵌合部分において嵌合受け金具１０６を有しており、これらの金具はそれぞれ連結体１０４及びスタンド支柱１０２に取り付けられて一体化されている。嵌合金具１０５及び嵌合受け金具１０６は互いに係合するような形状に作られている。また、嵌合金具１０５には、ボルト１０７と螺合する溝１０８が形成されている。さらに、嵌合受け金具１０６底部には、ボルト１０７を軸方向に貫通させるための孔が形成されている。
【０００６】
連結体１０４とスタンド支柱１０２とを取り付けるために、まず、連結体１０４の嵌合金具１０５をスタンド支柱１０２の嵌合受け金具１０６に嵌合する。ここで、スタンド支柱１０２及びスタンドベース１０３は中空となっており、これらの部材の内部空間は連通するような構造となっているものとする。図１３に示すように、スタンドベース１０３の下側より、ボルト１０７を嵌合受け金具１０６の孔に貫通させ、さらに嵌合金具１０５の溝１０８と螺合させて締めることにより、嵌合金具１０５及び嵌合受け金具１０６は締め付け固定される。このようにして、連結体１０４及びスタンド支柱１０２は取り付けられる。
【０００７】
製造工場等において上記のように組み立てられたスタンド式薄型テレビは、運搬及び販売のために梱包されて出荷される。図１４は、そのような梱包の一例を示す側面図である。スタンド式薄型テレビは、表示画面を含む本体部１０１が薄く作られているものの、スタンドベース１０３は本体部１０１が前方あるいは後方に倒れることを防止するため水平面において広く張り出しているために、組み立て完成品として販売用に梱包する場合には、図１４に示すように水平面において梱包スペースを大きく取らなければいけなくなってしまう。
【０００８】
このような問題を解決するために、例えば、スタンドを折りたたみ式にする方法が考えられる。その一例として、特許文献１に開示された表示装置用チルトスタンドでは、表示装置背面に連結体を介して回動自在なスタンドを設けることにより、スタンドをコンパクトに折りたたむことができるようになっている。このような構成により、スタンド式薄型テレビ等をコンパクトに梱包することが、従来考えられている。
【特許文献１】
特開２００２−６７６３号公報（第１３図）。
【０００９】
【発明が解決しようとする課題】
しかしながら、近年のスタンド式薄型テレビは大型化しており、これに伴いスタンド部分には、表示画面部の重みを支え得る一定の強度があることが必要とされる。したがって、大型のスタンド式平面表示装置においては、特許文献１に開示されたような折りたたみ式スタンドでは平面表示装置全体を安全に支持することが困難になってきている。
【００１０】
一方で、スタンド式薄型テレビなどの平面表示装置は大型化するほど収納及び運搬が困難となるため、僅かでも梱包をコンパクトにすることが望まれている。特に、重い表示画面部を安定して立たせるためには、スタンドベースは、本体部が前方あるいは後方に倒れることを防止するため、本体部の厚みよりも前後方向に長く形成することが必要であることからスタンド底部の水平面の面積が相当大きくなってしまうので、梱包スペースが大きくなってしまう。
【００１１】
そこで、スタンド式薄型テレビの梱包をコンパクト化するためには、組み立て完成品としてではなく、複数の部材に分解した状態で梱包し、これを開梱後に組み立てるようにすることが考えられる。しかしながら、図１１〜１３に示すような組み立て方法では、連結体１０４及びスタンド支柱１０２の取り付けにおいて、比較的重い本体部１０１及び連結体１０４を上下逆さにする作業が必要となるが、このような作業は煩雑であるのみならず、衝撃に弱い液晶ディスプレイ等を組み立て作業中に傷付けてしまう可能性もある。また、スタンド支柱１０２と連結体１０４との固着においては、スタンド支柱１０２の内部からボルト１０７をネジ止めするための特殊な工具が必要となるため、組み立て作業はいっそう困難で煩わしいものとなる。
【００１２】
そこで、このような実情に鑑みて、本発明は、平面表示装置を効率よく分解梱包することにより、小さい梱包スペースにコンパクトに収納する方法を提供するものである。
また、本発明は、このような分解梱包される平面表示装置において、簡単な操作で各部材同士を固着することができるような機構を提供するものである。
【００１３】
【課題を解決するための手段】
上記の課題を解決するために、本発明は、平面状の表示部を有する本体部と、該本体部が転倒しないように支持するためのスタンド部とを有するスタンド式の平面表示装置を梱包するための方法であって、前記平面表示装置の本体部及びスタンド部のそれぞれに互いに係合する固着機構を備え、前記本体部及び前記スタンド部を分解した状態で梱包する方法を提供する。
この方法によれば、平面表示装置を本体部及びスタンド部に分解した状態で梱包するとともに、開梱後に固着機構によりこれらを組み立てることが可能となる。
【００１４】
本発明では、前記スタンド部を前記本体部の後面と対向した状態で梱包することを特徴とする。これにより、梱包スペースを縮小することができる。
また、本発明において、前記スタンド部は、前記本体部と連結し該本体部が接地しないように支持するスタンド支柱と、該スタンド支柱に装着され前記本体部が転倒しないよう支持するスタンドベースをと有しており、前記スタンド支柱と前記スタンドベースとを分解した状態で梱包することを特徴とする。これにより、さらなる梱包スペースの縮小が可能となる。
【００１５】
また、本発明では、前記スタンドベースを前記本体部の後面と対向した状態で梱包することを特徴とする。上記同様に、梱包スペースを縮小することが可能となる。
また、本発明の梱包方法において、前記固着機構は、一の部材と他の部材とを固着するための機構であって、前記一の部材は凸部を有し、前記他の部材は前記凸部に係合する凹部を有し、前記凸部と前記凹部とを係合させて、前記凸部を前記凹部に対して押圧することにより、前記一の部材と前記他の部材とを固着するように構成された機構であることを特徴とする。
これにより、ユーザは、開梱後に簡単な操作で平面表示装置の本体部及びスタンド部を組み立て固定することができる。
【００１６】
また、本発明の梱包方法において、前記固着機構は、一の部材と他の部材とを固着するための機構であって、前記一の部材は、球状部材と弾性部材と固定部材とを含む嵌合受け部材を有し、前記他の部材は、前記球状部材に係合する凹部又は嵌合孔を含む嵌合部材を有し、前記嵌合部材を前記嵌合受け部材に嵌合すると、前記球状部材と前記凹部又は嵌合孔とが係合するように構成された機構であることを特徴とする。
上記同様、ユーザは、開梱後に簡単な操作で平面表示装置の本体部及びスタンド部を組み立て固定することができる。
【００１７】
本発明は、さらに、平面状の表示部を有する本体部と、該本体部が転倒しないように支持するためのスタンド部とから構成されるスタンド式薄型テレビの梱包装置であって、前記スタンド部は、球状部材と弾性部材と固定部材とを含む嵌合受け部材を有し、前記本体部は、前記球状部材に係合する凹部又は嵌合孔を含む嵌合部材を有し、前記嵌合部材を前記嵌合受け部材に嵌合すると、前記球状部材と前記凹部又は嵌合孔とが係合して、前記本体部と前記スタンド部とを固着することが可能であり、前記本体部及び前記スタンド部を分解して梱包すること、及び開梱後に前記本体部及び前記スタンド部を組み立てることが可能であることを特徴とする梱包装置を提供するものである。
【００１８】
上記の構成によれば、前記平面表示装置は、本体部及びスタンド部に分解した状態で梱包することが可能であり、また、開梱後にはユーザがこれらを容易に組み立てることが可能である。
前記本体部の平面状の表示部は、液晶ディスプレイ又はプラズマディスプレイからなる表示画面を有することを特徴とする。
以上に示した本発明の梱包方法及び梱包装置によれば、機器を２以上の部材に分解した状態で効率よく梱包することにより、梱包スペースを小さくすることができる。
【００１９】
【発明の実施の形態】
以下、添付図面を参照しながら、本発明の実施の形態を詳細に説明する。具体的には、液晶ディスプレイ又はプラズマディスプレイなどの表示部を含むスタンド式薄型テレビの梱包方法を例示して、本発明の梱包方法及び梱包装置、並びにこれに用いる固着機構について説明する。
【００２０】
図１〜図７は本発明の梱包方法の一実施形態を示す図であり、これらの図中、同一の符号を付したものは同一の構成部分を表わしている。
本実施形態は、スタンド式薄型テレビの本体部及びスタンド部を固着するための固着機構を備えたことにより、スタンド式薄型テレビのコンパクトな分解梱包を可能にしたことを特徴とするものである。
【００２１】
図１及び図２は、本実施形態に用いるスタンド式薄型テレビの構成を概略的に示す図である。図１は、組み立て前のスタンド式薄型テレビの側面図であり、図２は、組み立て後のスタンド式薄型テレビの側面図である。これらの図において、本実施形態のスタンド式薄型テレビは、平面状の表示画面等を含む本体部１１と、表示部の下端が設置しないように支えるため所定の長さを有する棒状のスタンド支柱１２と、スタンド支柱１２に装着され本体部１１を倒れないように支えるスタンドベース１３と、本体部１１とスタンド支柱を回動可能に連結する連結体１４とから構成されている。スタンドベース１３は、本体部１１が前方あるいは後方に倒れることを防止するため、本体部１１の厚みよりも前後方向に長く形成されている。
【００２２】
本実施形態に用いるスタンド式薄型テレビの組み立ては、スタンド支柱１２と連結体１４との固着を除いては、図８〜図１３に示した従来技術とほぼ同様にして行うことができる。すなわち、本体部１１と連結体１４とをビス止めなどにより固着し、スタンド支柱１２とスタンドベース１３とをビス止めなどにより固着した後、スタンド支柱１２と連結体１４とを固着する。
【００２３】
図７は、本実施形態により分解梱包された状態のスタンド式薄型テレビを示す図である。ここでは、スタンド式薄型テレビを、本体部１１及び連結体１４と、スタンド支柱１２と、スタンドベース１３とに分解した後、スタンド支柱１２及びスタンドベース１３をそれぞれ本体部１１の後面と対向して配置した状態で、梱包箱体に梱包している。尚、本体部１１と連結体１４とは、製造時にあらかじめビス止め固定されているものとする。
【００２４】
図７に示すスタンド式薄型テレビは図８〜１４に示したものとほぼ同じ製品である。図１４に示す従来の梱包例と比較すると、本実施形態の梱包方法を用いることにより、梱包がコンパクト化されていることが分かる。尚、このスタンド式薄型テレビの各部材には固着機構を設けてあるので、開梱後ユーザ等が容易な作業で組み立てることができるようになっている。
【００２５】
以下に、本実施形態に用いるスタンド式薄型テレビを開梱後組み立てるための固着機構について説明する。スタンド式薄型テレビのスタンド支柱１２及び連結体１４は、上記した従来技術同様の、互いに嵌合する一対の金具をそれぞれ有しており、これがスタンド支柱１２及び連結体１４間の固着機構の役割を果たすよう構成している。
【００２６】
図３は、スタンド支柱１２及び連結体１４の固着部分を詳細に示す側面図であり、金具の嵌合部分を一部切り欠いて示している。図３において、連結体１４は嵌合金具１５を有しており、スタンド支柱１２は嵌合受け金具１６を有している。嵌合金具１５は、円筒形の基部１５ａと、基部１５ａよりも小さい径の半円筒形に形成された先端部１５ｂとを有している。嵌合受け金具１６は、円筒形の凹部１６ａと、凹部１６ａよりさらに深い位置で凹部１６ａよりも小さい径の半円筒形の凹部１６ｂとを有している。凹部１６ａ及び凹部１６ｂは、それぞれ、嵌合金具１５の基部１５ａ及び先端部１５ｂとほぼ同形状で、これらよりも僅かに大きい寸法を有している。これにより、嵌合金具１５及び先端部１５ｂは、それぞれ、凹部１６ａ及び凹部１６ｂと係合するようになっている。
【００２７】
また、嵌合金具１５の先端部１５ｂには、先端部１５ｂの平らな側面にほぼ直交する方向に貫通する円筒形の嵌合孔１７を形成している。但し、嵌合孔１７は必ずしも嵌合金具１５の先端部１５ｂを貫通している必要はない。例えば、嵌合孔１７に代えて、先端部１５ｂの平らな側面に所定寸法の球面状の凹部を形成してもよい。
【００２８】
嵌合受け金具１６は、嵌合金具１５を固定するための固着機構を有している。図３において、嵌合受け金具１６は、凹部１６ｂの平らな内側側面にほぼ直交する方向で、凹部１６ｂの平らな内側側面から嵌合受け金具１６の外部側面まで貫通する円筒形のロック孔２０を有している。
【００２９】
ロック孔２０内には、硬球２１及び圧縮バネ２２を収納している。本実施形態では、硬球２１は、ほぼ球状の金属又はプラスチック等の硬い材料からなり、ロック孔２０よりも僅かに小さい径を有するので、ロック孔２０内を移動することができる。また、圧縮バネ２２は、硬球２１よりも径が小さく、所定の弾性力を有する金属製のコイルスプリングであるが、同様な形状及び弾性力を有する他の種類の弾性部材を用いてもよい。
【００３０】
ロック孔２０の凹部１６ｂ側の開口端付近は、ロック孔２０内の他の部分に比べて径をやや小さくしている。具体的には、硬球２１の径よりもやや小さい寸法に形成しており、硬球２１をロック孔２０内に係留するようになっている。
【００３１】
ロック孔２０の嵌合受け金具１６外部側面側の開口端には、中央に貫通孔を有するバネ押え金具２３が固定されている。このバネ押え金具２３の貫通孔の内壁面は、ネジ２４と係合するようネジ切りされている。このバネ押え金具２３に係合させて用いるネジ２４は、ネジ部の径が圧縮バネ２２の径よりも小さく、ネジ部が圧縮バネ２２の内側を貫通するようになっている。また、ネジ２４は、締めたときに先端が硬球２１の表面にまで達し、さらに締めると硬球２１を凹部１６ｂ側に押圧するよう、十分な長さを有するものとする。また、バネ押え金具２３は、ネジ２４とともに回転しないように、ツメ止め又はネジ止め等により嵌合受け金具１６の外部側面上に固定されている。
【００３２】
また、本実施形態に用いるスタンド式薄型テレビの固着機構では、図３に示すように、スタンド支柱１２外部からネジ２４を調整することができるように、スタンド支柱１２側面のロック孔２０開口端に近接する部分にネジ止め用孔３０を形成している。
【００３３】
ここで、図３はスタンド支柱１２及び連結体１４の取り付け前の状態を示す図であるが、この状態において、ロック孔２０内に硬球２１とともに係留されている圧縮バネ２２は、その両端において常に硬球２１及びバネ押さえ金具２３を押圧している。このとき、硬球２１は圧縮バネ２２により押圧されて、その一部がロック孔２０の凹部１６ｂ側の開口端から突出する。
【００３４】
次に、上記の固着機構により、スタンド支柱１２と連結体１４とを嵌合し固着する際の動作を、図４〜図６を参照しながら説明する。
図４は、連結体１４の嵌合金具１５をスタンド支柱１２の嵌合受け金具１６に嵌合するときの各構成部分の動作を示す側面図であり、金具の嵌合部分を一部切り欠いて示している。嵌合金具１５を嵌合受け金具１６に嵌合すると、嵌合金具１５の先端部１５ｂが硬球２１の突出している部分と接触する。このとき、硬球２１は圧縮バネ２２により所定の圧力で押圧されているので、一定以上の力で連結体１４を下方向に押し込むと、嵌合金具１５の先端部１５ｂが硬球２１をロック孔２０内に後退させるとともに、圧縮バネ２２を収縮させる。この所定の圧力は、人が手作業で上記の嵌合を行うときにかける荷重の範囲内で適宜選択することができる。
【００３５】
連結体１４をさらに下方向に押し下げてゆき、嵌合金具１５の先端部１５ｂに形成された嵌合孔１７がロック孔２０と同じほぼ高さになるようにする。図５は、このときの各構成部分の状態を示す側面図であり、金具の嵌合部分を一部切り欠いて示している。この状態において、嵌合孔１７とロック孔２０とが連通するので、硬球２１は圧縮バネ２２に押圧されて再びロック孔２０から突出して、その一部が嵌合孔１７内に係合する。尚、嵌合孔１７は硬球２１よりも小さい径を有しているので、硬球２１のごく一部のみが嵌合孔１７内に係合するが、他の部分はロック孔２０内に留まる。図５では、嵌合孔１７の中心軸とロック孔２０の中心軸とがほぼ一致しており、このとき硬球２１と嵌合孔１７とが完全に係合した状態となる。
【００３６】
この硬球２１と嵌合孔１７とが完全に係合した状態で、圧縮バネ２２は硬球２１を嵌合孔１７に一定荷重で押圧しているので、スタンド支柱１２及び連結体１４はこの押圧力によりロックされる。上記のように、圧縮バネ２２は、人が手作業で上記の嵌合を行うときにかける程度の荷重で硬球２１を押圧しているので、連結体１４を一定以上の荷重で上方向に引っ張ると、上記同様に、硬球２１がロック孔２０内に後退してロックがはずれるようになっている。
【００３７】
上記の固着機構によれば、スタンド支柱１２と連結体１４とを、所定のロック力でスナップ嵌めすることが可能となる。これにより、スタンド式薄型テレビを製造する際に、あるいはユーザが組み立てる際に、スタンド支柱１２と連結体１４とを仮固定することを可能にするものである。
【００３８】
さらに、図５及び図６を参照して、上記の固着機構により、スタンド支柱１２と連結体１４とを本固定するための機構を説明する。
図５に示す仮固定状態では、ネジ２４はバネ押え金具２３に仮ネジ止めされている。ネジ止め用孔３０を通じて、ドライバなどの工具によりネジ２４を締めていくと、やがてその先端は硬球２１に接触する。このとき、わずかにネジ２４を固く締めると、ネジ２４の先端は、硬球２１を嵌合金具１５の嵌合孔１７に押圧する。図６は、このようにネジ２４を固く締めて硬球２１を押圧している状態を示す図である。この押圧は、上記の圧縮バネ２２による弾性的な押圧とは違って、非弾性的な押圧であるので、硬球２１は嵌合孔１７に固く係合し、嵌合金具１５は嵌合受け金具１６に固くロックされる。この状態では、連結体１４をスタンド支柱１２から引っ張っても外れないようになっており、これがスタンド支柱１２と連結体１４とを本固定した状態である。
一方で、ネジ２４を緩めると、スタンド支柱１２及び連結体１４は再び、圧縮バネ２２により弾性的にロックされた仮固定状態となり、取り外しが可能となる。
【００３９】
このスタンド式薄型テレビを開梱して組み立てる際には、まず、スタンド支柱１２とスタンドベース１３とをビス止めなどにより固着する。次に、本体部１１及び連結体１４と、スタンド支柱１２及びスタンドベース１３とを、上記の固着機構により固着する。これらを固着するには、例えば、スタンド支柱１２及びスタンドベース１３を床に置いて立たせた後に、本体部１１及び連結体１４を上方から取り付ければよい。連結体１４の嵌合金具１５をスタンド支柱１２の嵌合受け金具１６に勘合させて取り付けることができる。
【００４０】
上記の固着機構によれば、この状態で、本体部１１及び連結体１４とスタンド支柱１２及びスタンドベース１３とは、仮固定されている。この後さらに、スタンド支柱１２に備えられた固着機構のネジ２４をドライバ等で調整することにより、これらを本固定することができる。
【００４１】
以上説明したように、上記の固着機構を備えたことを特徴とする本実施形態の梱包方法によれば、スタンド式薄型テレビの連結体１４とスタンド支柱１２とを簡易な操作で仮固定及び本固定することができる。したがって、スタンド式薄型テレビを分解した状態で梱包して運搬及び販売することが可能となる。また、上記の固着機能を備えているため、開梱後の組み立て作業も簡単である。また、上記の固着機構では、本固定を簡単に解除することができるので、再び分解してコンパクトに収納することが可能であり、持ち運び等の際にも便利である。
【００４２】
上記の実施形態では、スタンド式薄型テレビの支柱１２及び連結体１４の固着において、特にスタンド支柱１２側の嵌着部分にのみ固着機構を備え付けているが、他の部分にも同様に固着機構を備え付けることが可能である。例えば、スタンド支柱１２及び連結体１４の固着において、連結体１４側の嵌着部分に本発明の固着機構を備え付けることが可能である。また、上記の実施形態では、スタンド支柱１２とスタンドベース１３とをビス止め等により固着するとしているが、これらの固着に関しても、上記の固着機構を応用することができる。
【００４３】
尚、図７に示す本実施形態のスタンド式薄型テレビの梱包方法は一例に過ぎず、これ以外にも様々な梱包レイアウトにより、梱包のコンパクト化を図ることができる。例えば、図７に示す梱包例では、スタンド支柱１２を連結体１４に仮固定又は本固定した状態で梱包することも考えられる。
【００４４】
以上、固着機構を備えたスタンド式薄型テレビを例示しながら本発明の梱包方法の一実施形態を説明したが、本発明の梱包方法及び梱包装置は上記の実施形態に限定されるものではない。特に、部材同士の固着機構に関しては、様々な実施例が考えられる。例えば、スタンド式薄型テレビの支柱１２及び連結体１４の固着も、従来のようにビス止めで行うようにしてもよい。
【００４５】
【発明の効果】
以上、説明したように、本発明の梱包方法及び梱包装置によれば、スタンド式液晶テレビ等のスタンド式薄型表示装置を、２以上の部材に分解した状態でコンパクトに梱包することができる。また、本発明の梱包方法及び梱包装置に用いる固着機構によれば、ユーザ等は、分割梱包されたスタンド式薄型表示装置を開梱した後、容易な操作で組み立てることが可能となる。
【図面の簡単な説明】
【図１】本発明の梱包方法の一実施例に用いるスタンド式薄型テレビの組み立て前の構成を概略的に示す図である。
【図２】本発明の梱包方法の一実施例に用いるスタンド式薄型テレビの組み立て後の構成を概略的に示す図である。
【図３】本発明の梱包方法の一実施例に用いるスタンド式薄型テレビのスタンド支柱及び連結体の固着部分を詳細に示す側面断面図である。
【図４】本発明の梱包方法の一実施例に用いるスタンド式薄型テレビにおいて、スタンド支柱と連結体とを嵌合する際の各構成部分の動作を示す図である。
【図５】本発明の梱包方法の一実施例に用いるスタンド式薄型テレビにおいて、スタンド支柱と連結体とを仮固定した状態を示す図である。
【図６】本発明の梱包方法の一実施例に用いるスタンド式薄型テレビにおいて、スタンド支柱と連結体とを本固定した状態を示す図である。
【図７】本発明の一実施例にかかるスタンド式薄型テレビの梱包方法を示す図である。
【図８】従来のスタンド式薄型テレビの正面図である。
【図９】従来のスタンド式薄型テレビの側面図である。
【図１０】従来のスタンド式薄型テレビの上面図である。
【図１１】従来のスタンド式薄型テレビの組み立ての一工程を示す側面図である。
【図１２】従来のスタンド式薄型テレビにおいて、連結体とスタンド支柱とを固着する前の状態を示す、一部切り欠き側面図である。
【図１３】従来のスタンド式薄型テレビにおいて、連結体とスタンド支柱とを固着した後の状態を示す、一部切り欠き側面図である。
【図１４】従来の組み立て済のスタンド式薄型テレビの梱包例を示す図である。
【符号の説明】
１１　　本体部
１２　　スタンド支柱
１３　　スタンドベース
１４　　連結体
１５　　嵌合金具
１５ａ　　　　基部
１５ｂ　　　　先端部
１６　　嵌合受け金具
１６ａ　　　　凹部
１６ｂ　　　　凹部
１７　　嵌合孔
２０　　ロック孔
２１　　硬球
２２　　圧縮バネ
２３　　バネ押え金具
２４　　ネジ
３０　　ネジ止め用孔
１０１　　　　本体部
１０２　　　　スタンド支柱
１０３　　　　スタンドベース
１０４　　　　連結体
１０５　　　　嵌合金具
１０６　　　　嵌合受け金具
１０７　　　　ボルト
１０８　　　　溝
【図１】
2004131100.tif 000003
【図２】
2004131100.tif 000004
【図３】
2004131100.tif 000005
【図４】
2004131100.tif 000006
【図５】
2004131100.tif 000007
【図６】
2004131100.tif 000008
【図７】
2004131100.tif 000009
【図８】
2004131100.tif 000010
【図９】
2004131100.tif 000011
【図１０】
2004131100.tif 000012
【図１１】
2004131100.tif 000013
【図１２】
2004131100.tif 000014
【図１３】
2004131100.tif 000015
【図１４】
2004131100.tif 000016